(57)【特許請求の範囲】
【請求項１】
複数のセグメントが筒状に連結された筒体と、
前記筒体のセグメントに装着され、前記筒体の周方向に沿って設けられた複数のケーシング管と、
前記ケーシング管内に挿入されたドリルパイプと、
前記ドリルパイプの先端に設けられていて地盤を掘削するドリルビットと、
前記ドリルビットで掘削された地盤の掘削屑を搬出する空間と、を備えたことを特徴とする大深度掘削装置。
【請求項２】
複数のセグメントが筒状に連結された第一の筒体と、
前記第一の筒体のセグメントに装着され、前記第一の筒体の周方向に沿って設けられた複数の第一のケーシング管と、
前記第一のケーシング管内に挿入された第一のドリルパイプと、
前記第一のドリルパイプの先端に設けられていて地盤を掘削する第一のドリルビットと、
前記第一のドリルビットで掘削された地盤の掘削屑を搬出する第一の空間と、
前記第一の筒体の内部空間から先端側に突出して設けられていて複数のセグメントが筒状に連結された前記第一の筒体より小径の第二の筒体と、
前記第二の筒体のセグメントに装着され、前記第二の筒体の周方向に沿って設けられた複数の第二のケーシング管と、
前記第二のケーシング管内に挿入された第二のドリルパイプと、
前記第二のドリルパイプの先端に設けられていて地盤を掘削する第二のドリルビットと、
前記第二のドリルビットで掘削された地盤の掘削屑を搬出する第二の空間と、を備えたことを特徴とする大深度掘削装置。
【請求項３】
前記筒体の内部空間に、前記ドリルビットによって掘削された掘削屑を搬出する重機を備えた請求項１に記載された大深度掘削装置。
【請求項４】
前記ドリルビットによって掘削された掘削屑を搬出する空間が前記ドリルパイプの外側に設置されている請求項１に記載された大深度掘削装置。
【請求項５】
前記筒体のセグメントには前記筒体とその周囲地盤の掘削穴との間に裏込め材を注入するための注入孔が設けられている請求項１、３または４のいずれか１項に記載された大深度掘削装置。
【請求項６】
前記筒体の外側には前記掘削屑を回収するための回収パイプが設置されている請求項１、３から５のいずれか１項に記載された大深度掘削装置。
【請求項７】
複数のセグメントで形成した筒体に、前記筒体の周方向に沿って設けた複数のケーシング管内に挿入したドリルパイプの先端のドリルビットで掘削穴を掘削する工程と、
前記ドリルパイプを流れて前記ドリルビットのノズルから噴出される泥水によって、前記ドリルビットで掘削した掘削屑を前記ケーシング管内の空間、前記筒体の内部空間、前記筒体の外周側の回収パイプのいずれかの経路を通して回収する工程と、
前記掘削穴内に前記筒体を進出させて後部に前記セグメントを連結する工程と、を備えたことを特徴とする大深度掘削方法。
【請求項８】
複数のセグメントで形成した第一の筒体に、前記第一の筒体の周方向に沿って設けた複数の第一のケーシング管内に挿入した第一のドリルパイプの先端の第一のドリルビットで掘削穴を掘削する工程と、
前記第一のドリルパイプを流れて前記第一のドリルビットのノズルから噴出される泥水によって、前記第一のドリルビットで掘削した掘削屑を前記第一のケーシング管内の空間、前記第一の筒体の内部空間、前記第一の筒体の外周側の回収パイプのいずれかの経路を通して回収する工程と、
前記第一の筒体の内部空間から突出させた前記第一の筒体より小径の第二の筒体に、前記第二の筒体の周方向に沿って設けた複数の第二のケーシング管内に挿入した第二のドリルパイプの先端の第二のドリルビットで掘削穴を掘削する工程と、
前記第二のドリルパイプを流れて前記第二のドリルビットのノズルから噴出される泥水によって、前記第二のドリルビットで掘削した掘削屑を前記第二のケーシング管内の空間、前記第二の筒体の内部空間、前記第二の筒体の外周側の回収パイプのいずれかの経路を通して回収する工程と、
を備えたことを特徴とする大深度掘削方法。
【発明の詳細な説明】
【技術分野】
【０００１】
本発明は、地中を大口径で大深度掘削して、例えば地熱、石油、レアメタル、シェールガス等の地下資源を広域的に採取するための大深度掘削装置及び大深度掘削方法に関する。
【背景技術】
【０００２】
従来、地中を大深度掘削する場合、小口径のドリルパイプを繋いで先端のドリルビットを高速回転させて地盤を掘削している。
ライザー掘削方式では、パイプを二重に形成して内側のパイプを地上や海上等から泥水を供給するドリルパイプとし、外側のパイプを泥水を戻すライザー管とすることで、掘削深度を大きくとれる構造にしている。地上からドリルパイプ内に供給される泥水は先端のドリルビットに設けたノズルから坑底の地盤に向かって噴出され、ドリルビットで破砕された削りカスと混合されて、ドリルパイプの外側の通路を通って地上まで戻すことで回収される。
【０００３】
また、例えば特許文献１に記載された坑井掘削方法は、ビットパイプの先端に設けた坑井掘削用ビットのビットボディの周辺から掘り屑を押し流す掘削流体の流路を設けて岩盤を掘削する。この流路にベンチュリ管を設けたベンチュリ機構によって坑底近傍の掘削泥水を局所的に減圧沸騰させて、急冷却により岩盤に亀裂を発生させて強度脆化させて掘削効率を上げてビット寿命を延ばしている。
【先行技術文献】
【特許文献】
【０００４】
【特許文献１】特開２０１８−１１９３４０号公報
【発明の概要】
【発明が解決しようとする課題】
【０００５】
しかしながら、上述した先行技術や特許文献１に記載された大深度掘削装置では、１つのビットパイプ及びドリルビットとその周囲のライザー管を用いて大深度での掘削と泥水による掘削された削りカスの回収とを行うため、掘削効率が悪かった。
【０００６】
本発明は、このような課題に鑑みてなされたものであって、大深度掘削において、坑底の掘削と掘削屑の回収を効率的に行えるようにした大深度掘削装置及び大深度掘削方法を提供することを目的とする。
【課題を解決するための手段】
【０００７】
本発明に係る大深度掘削装置は、複数のセグメントが筒状に連結された筒体と、筒体のセグメントに装着された複数のケーシング管と、ケーシング管内に挿入されたドリルパイプと、ドリルパイプの先端に設けられていて地盤を掘削するドリルビットと、ドリルビットで掘削された地盤の掘削屑を搬出する空間と、を備えたことを特徴とする。
本発明によれば、筒体の複数のケーシング管内にそれぞれ設けられたドリルビットで地盤を掘削し、掘削屑を複数のドリルパイプを通して供給される泥水と混合して空間を通して地上側に回収することで掘削穴を形成でき、掘削穴に筒体を進めて大深度掘削を行うことができる。
【０００８】
本発明に係る大深度掘削装置は、複数のセグメントが筒状に連結された第一の筒体と、第一の筒体のセグメントに装着された複数の第一のケーシング管と、第一のケーシング管内に挿入された第一のドリルパイプと、第一のドリルパイプの先端に設けられていて地盤を掘削する第一のドリルビットと、第一のドリルビットで掘削された地盤の掘削屑を搬出する第一の空間と、第一の筒体の内部空間から先端側に突出して設けられていて複数のセグメントが筒状に連結された第一の筒体より小径の第二の筒体と、第二の筒体のセグメントに装着された複数の第二のケーシング管と、第二のケーシング管内に挿入された第二のドリルパイプと、第二のドリルパイプの先端に設けられていて地盤を掘削する第二のドリルビットと、第二のドリルビットで掘削された地盤の掘削屑を搬出する第二の空間と、を備えたことを特徴とする。
本発明によれば、第一の筒体の複数の第一のケーシング管内にそれぞれ設けられた第一のドリルビットで地盤を掘削し、掘削屑を複数の第一のドリルパイプを通して供給される泥水と混合して第一の空間を通して地上側に回収することで掘削穴を形成して掘削穴に第一の筒体を進める。次に、第一の筒体の内部空間に第二の筒体を挿入して、第二の筒体の複数の第二のケーシング管内にそれぞれ設けられた第二のドリルビットで地盤を掘削し、掘削屑を複数の第二のドリルパイプを通して供給される泥水と混合して第二の空間を通して地上側に回収することで掘削穴を形成して掘削穴に第二の筒体を進める。このような作業を繰り返すことで、筒体の内部空間を通してより小径の筒体を順次進入させて隙間を生じないように突出させて配設することで、大深度掘削を行うことができる。
【０００９】
また、筒体の内部空間に、ドリルビットによって掘削された掘削屑を搬出する重機を備えてもよい。
筒体の内部空間を通して昇降可能な重機を装着することで、ドリルビットで掘削した掘削屑を重機で回収して排出させることができる。
【００１０】
また、ドリルビットによって掘削された掘削屑を搬出する空間がドリルパイプの外側に設置されていてもよい。
掘削屑をドリルパイプの外側に設置された空間を通して回収できる。
【００１１】
また、筒体のセグメントには筒体とその周囲地盤の掘削穴との間に裏込め材を注入するための注入孔が設けられていてもよい。
筒体を備えた大深度掘削装置を掘削穴に装着した状態で、筒体のセグメントに形成した注入孔を通して掘削穴の壁面との隙間に裏込め材を充填することで、掘削穴の壁面が崩れたりすることを阻止できる。
【００１２】
また、筒体の外側には掘削屑を回収するための回収パイプが設置されていてもよい。
ドリルビットで掘削した掘削屑を筒体の先端側領域で攪拌し、回収パイプを通して回収できる。
【００１３】
本発明による大深度掘削方法は、複数のセグメントで形成した筒体に設けた複数のケーシング管内に挿入したドリルパイプの先端のドリルビットで掘削穴を掘削する工程と、ドリルパイプを流れてドリルビットのノズルから噴出される泥水によって、ドリルビットで掘削した掘削屑をケーシング管内の空間、筒体の内部空間、筒体の外周側の回収パイプのいずれかの経路を通して回収する工程と、掘削穴内に筒体を進出させて後部にセグメントを連結する工程と、を備えたことを特徴とする。
【００１４】
本発明による大深度掘削方法は、複数のセグメントで形成した第一の筒体に設けた複数の第一のケーシング管内に挿入した第一のドリルパイプの先端の第一のドリルビットで掘削穴を掘削する工程と、第一のドリルパイプを流れて第一のドリルビットのノズルから噴出される泥水によって、第一のドリルビットで掘削した掘削屑を第一のケーシング管内の第一の空間、第一の筒体の内部空間、第一の筒体の外周側の回収パイプのいずれかの経路を通して回収する工程と、第一の筒体の内部空間から突出させた第一の筒体より小径の第二の筒体における複数の第二のケーシング管内に挿入した第二のドリルパイプの先端の第二のドリルビットで掘削穴を掘削する工程と、第二のドリルパイプを流れて第二のドリルビットのノズルから噴出される泥水によって、第二のドリルビットで掘削した掘削屑を第二のケーシング管内の第二の空間、第二の筒体の内部空間、第二の筒体の外周側の回収パイプのいずれかの経路を通して回収する工程と、を備えたことを特徴とする。
【発明の効果】
【００１５】
本発明に係る大深度掘削装置及び大深度掘削方法によれば、複数のセグメントを連結することで大口径の筒体を形成すると共に、複数のケーシング管にそれぞれドリルパイプ及びドリルビットと空間を設けたため掘削と切削屑の回収効率が高い。しかも、安全性とメンテナンス性が高いため地下資源を採取する効率も高い。
また、先に掘削した第一の筒体の内部空間を通して第一の筒体より小径の第二の筒体を突出させて掘削することで大深度掘削することができるため、各筒体でドリルビットの摩耗や折損を防いで効率よく大断面掘削を行える。
【図面の簡単な説明】
【００１６】
【図１】本発明の第一実施形態による大深度掘削装置を示すもので、（ａ）は要部縦断面図、（ｂ）はケーシング管のＡ−Ａ線断面図である。
【図２】筒体を構成するセグメントの斜視図である。
【図３】大深度掘削装置の筒体の平面図である。
【図４】筒体の側面図である。
【図５】ケーシング管の連結構造を示す断面図である。
【図６】（ａ）は筒体の内部空間を泥水の流路にした第一変形例による筒体の縦断面図、（ｂ）は筒体の外部を泥水の流路にした第二変形例による筒体の縦断面図である。
【図７】第三変形例による筒体の外周面に裏込め材を充填した状態の正面図である。
【図８】第四変形例による筒体の正面図である。
【図９】第五変形例による筒体の正面図である。
【図１０】第二実施形態による大深度掘削装置の縦断面図である。
【図１１】第三実施形態による大深度掘削装置の縦断面図である。
【発明を実施するための形態】
【００１７】
以下、本発明の各実施形態による大深度掘削装置について添付図面を参照して説明する。
図１乃至図５は本発明の第一実施形態による大深度掘削装置１を示すものである。図１（ａ）に示す大深度掘削装置１は陸地の地底または海底等において例えば７０ｍ以上の深さに亘って大口径の大深度掘削を行うものである。この大深度掘削装置１は、図２に示すセグメント２を円環状に連結したセグメントリング３をいも継ぎ（または千鳥組）で上下方向に例えば４段組付けた筒体４を有している。しかも、筒体４の最下段のセグメント２は複数の刃口付きセグメント２Ａを連結した刃口リング１６を形成している。筒体４は地中の掘削穴Ｈ内に埋設されている。
図２に示すセグメント２は、板状で略円弧状に湾曲形成された一対の主桁板６と、長方形で平板状に形成された一対の継手板７と、を備えていて、全体に略四角形で円弧版状に湾曲して形成されている。その外周面(地山側)にスキンプレート８が形成されている。
【００１８】
筒体４の内面側である内部空間２４には基本的に大深度掘削装置１の掘削土砂を地上に向けて搬出する重機２５が挿入されるので、引っかかり等を防ぐために内周面にもスキンプレート８を配設してもよい。これら主桁板６、継手板７、スキンプレート８で金属製セグメントの筐体１０を構築し、内部は空間とされている。セグメント２の内部には断熱材や間詰め材等を中詰めしてもよい。
この場合、筒体４の地中への埋設位置の地盤の温度が３００℃以下であればセグメント２内にコンクリートを中詰めることができる。しかし、３００℃を超える場合には断熱材を間詰め材として中詰めすることが好ましい。筐体１０の材質は大深度掘削に耐えられるように耐高温、耐高圧、高耐久性の金属等が望ましく、例えばＧＦＲＰ、ＣＦＲＰ、チタン、ステンレス等を採用できる。
【００１９】
セグメント２の筐体１０の対向する一対の主桁板６の間には所定間隔で複数のケーシング管１２が装着されている。ケーシング管１２も熱伝導を行うために例えばスチール、アルミ、ステンレス等の熱伝導率の良い金属で形成されている。ケーシング管１２内には後述するドリルパイプ２０が装着可能である。
セグメント２の筐体１０の対向する主桁板６にはボルト等のリング継手１３が配設され、対向する継手板７にはボルト等のセグメント継手１４が配設されている。そのため、セグメント２は継手板７同士をセグメント継手１４で連結することで、例えば図１及び図４に示すセグメントリング３を構築できる。主桁板６同士をリング継手１３で連結することでセグメントリング３同士を上下方向に連結することができる。
【００２０】
セグメント２の外面側（地山側）のスキンプレート８には裏込め材を地山側に注入するための注入孔１５が形成されている。地盤の掘削穴Ｈ内に大深度掘削装置１の筒体４を装着した際、掘削穴Ｈの地山の壁面が崩壊したり崩れたりするおそれがあるため、裏込め材を注入することで阻止する。なお、裏込め材としてセメントミルク等を採用できる。なお、注入孔１５は設けなくてもよい。
【００２１】
ケーシング管１２は、図５に示すように、一方の端部が主桁板６から突出する凸部からなるほぞ１２ａを形成し、他方の端部はほぞ１２ａと嵌合するためのほぞ穴１２ｂを形成している。図１及び図４に示す例では、セグメント２は上下四段でいも継ぎの構成を示している。四段のセグメント２内をケーシング管１２がほぞ１２ａとほぞ穴１２ｂで連結されて上下方向に延びている。
また、最下段のセグメントリング３は刃口付きセグメント２Ａを筒状に連結してなる刃口リング１６で構成されている。各セグメント２、２Ａ内には長手方向に対向面をなす一対の主桁板６間にケーシング管１２が縦方向に装着されている。
【００２２】
最下段の刃口付きセグメント２Ａはセグメント２と同様に略四角形板状で円弧版状に湾曲されており、下端部が外側から内側に向けて傾斜するテーパ面２ｂを有している。複数枚の刃口付きセグメント２Ａは円筒状に組み立てられて、その下端部に形成された刃が円形に形成されてなる刃口リング１６を構築する。刃口付きセグメント２Ａ内にもテーパ面２ｂに沿って斜めにカットされたケーシング管１２が装着されている。
【００２３】
図１（ｂ）において、筒体４の各セグメント２内に設置されたケーシング管１２は例えば断面円形とされ、その内部の中央には中空のドリルパイプ２０が設置されている。ドリルパイプ２０は大深度掘削のために順次接続してケーシング管１２内に延ばす。ドリルパイプ２０の先端は刃口付きセグメント２Ａのテーパ面２ｂや刃口リング１６の先端より下方に延びている。このドリルパイプ２０の先端部には地底を掘削するドリルビット２１が配設されている。ドリルビット２１は地層の硬さに応じて適宜の材質を選択できる。ドリルビット２１は軟らかい地層では鋼鉄製、ドラグビット、カッタービット等を用い、硬い地層でタングステンカーバイトやダイヤモンド等のビットを用いる。
【００２４】
ドリルビット２１はドリルパイプ２０を地上側で高速回転させることで高速回転させられて地中を掘り進むことができる。ドリルビット２１で筒体４の刃口リング１６の先端側地盤を掘削して攪拌することによって大深度掘削を行う。ケーシング管１２において、ドリルパイプ２０の外周側のリング状空間は泥水と掘削された掘削屑との混合物を地上に回収するための空間２２とされている。
【００２５】
また、ドリルパイプ２０内には地上側の泥水ピット(図示せず)から先端のドリルビット２１に向けて泥水が供給され、泥水はドリルビット２１から噴出させられて掘削のための回転に伴う摩擦熱を低下させる。しかも、泥水はドリルビット２１によって粉砕された地層の岩石等の掘削屑と一緒にドリルパイプ２０の外周側を上昇させられ、フィルターによって掘削屑と分離されて泥水ピットに戻される。
泥水は、地層状況に応じて比重や粘性、化学組成を調整した特殊な流体であり、成分により水ベースと油ベースに大別される。
【００２６】
筒体４は円筒状に形成されており、その内側の空間である内部空間２４内には、ドリルパイプ２０の内空側の土砂を搬出するための重機２５が進退可能に設置されている。この重機２５は掘削深度が比較的浅い場合には例えばクラムシェル型バケット等を用いて土砂を回収させることができる。また、掘削深度が比較的深い場合には大深度用の掘削マシン等を用いることができる。
【００２７】
本実施形態による大深度掘削装置１は上述した構成を備えており、次に大深度掘削方法について説明する。
海底または陸上において、地下資源である石油、レアメタル、シェールガス等を採取したり、地中熱を採取したりする場合、大口径の筒体４を備えた大深度掘削装置１を地中に大深度掘削する。この場合、例えば刃口付きセグメント２Ａからなる最下段をなす刃口リング１６を設けた大口径の筒体４を地盤に設置して、各セグメント２に設けた複数のケーシング管１２を通して、先端にドリルビット２１を設けたドリルパイプ２０を下方に降下させる。
【００２８】
そして、ドリルパイプ２０を高速回転させることでドリルビット２１によって坑底の地盤を掘削して岩盤を破砕する。これと同時に、地上の泥水ピットから泥水をドリルパイプ２０に注入し、ドリルパイプ２０を通してドリルビット２１に設けたノズル(図示せず)から泥水を噴出させ、岩盤に亀裂等を生じさせる。しかも、ドリルビット２１によって筒体４の刃口リング１６の先端側の地盤(図１の破線部)を掘削し且つ攪拌することによって大深度掘削を行う。
【００２９】
ドリルビット２１で掘削された岩盤の掘削屑はドリルビット２１のノズルから噴出する泥水と混合される。そして、ケーシング管１２内のドリルパイプ２０の周囲に設けられた空間２２の地上側開口に負圧をかけることで、坑底上で泥水と掘削屑の混合物を吸引することができる。地上で泥水と掘削屑を回収し、フィルターで掘削屑を分離した後、泥水を泥水ピットに戻す。
これにより、略円周状に掘削穴Ｈを形成する。また、筒体４の内部空間２４内では重機２５を降下させてドリルビット２１で掘削したリング状の掘削穴Ｈの内側部分を掘削して土砂を地上に搬出する。
【００３０】
坑底の掘削穴Ｈを掘削するに従って、大深度掘削装置１の筒体４は先端の刃口リング１６で次第に降下される。しかも、筒体４の最下段をなす刃口リング１６の上部にセグメント２を連結して２段目以降のセグメントリング３を刃口リング１６に順次連結する。その際、ドリルパイプ２０を各セグメント２のケーシング管１２に通して各セグメント２を刃口リング１６に連結する。ドリルパイプ２０はドリルビット２１によって地盤を掘削するにしたがって後端側で順次継ぎ足してその長さを延伸させていく。
このような作業を繰り返しながら坑底の地盤を掘削することで大深度の掘削穴Ｈを掘削して、各種の地下資源を採取することができる。
【００３１】
上述したように本実施形態による大深度掘削装置１によれば、本実施形態では、円筒状の筒体４の周方向に所定間隔で複数のケーシング管１２を設けて各ケーシング管１２内にドリルパイプ２０及びドリルビット２１と空間２２を二重管として設置している。そのため、従来では地盤に予め下穴を掘削した状態でドリルパイプの先端に設けたドリルビットで掘削を進めるが、本実施形態では下穴を掘らずに直接掘削できる。
しかも、大口径で大深度掘削した部分を拠点として小口径の複数のドリルパイプ２０とドリルビット２１を岩盤に発進させることで安全性とメンテナンス性が高く、地下資源を採取する効率が高くなる。また、筒体４が大口径で複数のドリルパイプ２０及びドリルビット２１を挿通させるケーシング管１２を周方向に多数設けたため低コストで大深度掘削をすることができる。
【００３２】
以上、本発明の第一実施形態による大深度掘削装置１について詳細に説明したが、本発明は上述の実施形態に限定されることはなく、本発明の趣旨を逸脱しない範囲で適宜の変更や置換等が可能であり、これらはいずれも本発明に含まれる。以下に、本第一実施形態の変形例や他の実施形態等について説明するが、上述の実施形態と同一または同様な部分、部材には同一の符号を用いて説明を省略する。
【００３３】
図６（ａ）は第一実施形態の第一変形例による大深度掘削装置１Ａを示すものである。本変形例において、筒体４の内部空間２４内に坑底の掘削屑を採取するための重機２５が設けられておらず、空間となっている。そして、ドリルビット２１で刃口リング１６の先端を掘削し攪拌しながら筒体４を降下させるため、掘削された掘削屑の一部は負圧によってケーシング管１２内に設けた空間２２を通して強制的に上昇させられ回収される。しかも、掘削された掘削屑の残りは筒体４が下方に押されるため高圧で内部空間２４内を自然に上昇し、回収される。或いは、内部空間２４の上部を負圧に設定して強制的に掘削屑を回収するようにしてもよい。
【００３４】
図６（ｂ）は第一実施形態の第二変形例による大深度掘削装置１Ｂを示すものである。本変形例において、筒体４の外周面には刃口リング１６の先端に開口する回収パイプ２７が所定間隔で複数本配設されている。この場合、ドリルパイプ２０の外周側に設けた空間２２では岩盤の掘削屑を回収しないため、空間２２を設けなくてもよい。回収パイプ２７はドリルビット２１で掘削した掘削屑を回収するものであり、地上側の部分を負圧に設定することで掘削屑を強制的に回収できる。
なお、回収パイプ２７に代えて、筒体４の外周側を囲う円環状の空間からなる回収リングを設置してもよい。この場合でも、筒体４と回収リングの間の円環状の空間の上部を負圧に設定することで掘削屑を強制的に回収できる。
【００３５】
上記第一変形例及び第二変形例に示すように、ドリルパイプ２０を通して先端のドリルビット２１のノズルから噴出される泥水は、ドリルビット２１で掘削された掘削屑と混合されて、ケーシング管１２の内部の空間２２、筒体４の外面側の回収パイプ２７、筒体４の内部空間２４のいずれかの経路を通って回収することができる。
【００３６】
次に図７は第一実施形態の第三変形例による大深度掘削装置１Ｃを示すものである。
本変形例では、筒体４を構成する任意の高さのセグメントリング３のセグメント２に設けた注入孔１５を通して裏込め材３０を外面側(地山側)の周囲地盤に注入している。地盤を複数のドリルビット２１と刃口リング１６によって掘削して掘削穴Ｈを形成して、筒体４を設置した場合、掘削穴Ｈの壁面に土砂が崩れて流れ込んでしまうおそれがある。これを防ぐために、例えばセメントミルク等の裏込め材３０を筒体４と掘削穴Ｈとの隙間に充填させて固化することができる。
【００３７】
また、図７に示す筒体４において、互いに連結された各セグメント２の隙間に間詰め材３１が詰め込まれている。これにより、大深度掘削装置１Ｃを保護し、セグメント２を補強することができる。筒体４が地盤の掘削穴Ｈ中に深く挿入されると、深さの浅い部分では地盤が高熱ではないので間詰め材３１としてコンクリート等を用いることができる。また、筒体４を地中深く発進させて高温のマグマ層に近い部分に設置した場合には間詰め材３１として高温に耐える断熱材を用いることが好ましい。
【００３８】
図８は第一実施形態の第四変形例による大深度掘削装置１Ｄを示すものである。
本変形例では、筒体４の下端部に設けた刃口リング３３は刃口付きセグメント３４の下端部に設けたテーパ面３４ａが内側から外側に傾斜した傾斜面として形成されている。本変形例においても、ドリルビット２１で掘削した坑底の地盤に筒体４の刃口リング３３を降下させることができる。
【００３９】
図９は第一実施形態の第五変形例による大深度掘削装置１Ｅを示すものである。
本変形例では、大深度掘削装置１Ｅの筒体４の下端部に刃口リング１６、３３を設けず、通常のセグメント２を連結したセグメントリング３を設けている。セグメント２による筒体４は例えば千鳥組で形成されている。本変形例においても、筒体４の先端に延びるケーシング管１２内のドリルパイプ２０の先端に設けたドリルビット２１で坑底の地盤を掘削して、掘削穴Ｈに筒体４を降下させることができる。
【００４０】
次に本発明の第二実施形態による大深度掘削装置１Ｆについて図１０により説明する。
本実施形態による大深度掘削装置１Ｆでは、外径の異なる複数段(例えば３段)のセグメントリング３を例えばいも継ぎで上下方向に連結した複数の筒体４Ａ、４Ｂ、４Ｃを備えている。各筒体４Ａ、４Ｂ、４Ｃは地上側から地下に向けて外径が次第に小さくなっている。
しかも、各筒体４Ａ、４Ｂ、４Ｃにおける下端部のセグメントリング３は例えば刃口リング１６で構成され、各セグメントリング３の周方向に所定間隔で装着したケーシング管１２内にはドリルパイプ２０が装着され、その先端が刃口付きセグメント２Ａのテーパ面２ｂから突出してドリルビット２１が装着されている。
【００４１】
ケーシング管１２とドリルパイプ２０の間の空間２２とされた二重管で構成されている。しかも、ドリルパイプ２０内を下方に供給される泥水はドリルビット２１に設けたノズルから噴出させられて、掘削のための回転に伴う摩擦熱を低下させる。しかも、泥水はドリルビット２１によって粉砕された地盤の掘削屑と一緒にドリルパイプ２０の外周側の空間２２内を上昇させられ、地上側でフィルターによって掘削屑と分離されて泥水ピットに戻される。
【００４２】
大深度掘削装置１Ｆにおいて、掘削穴Ｈにおける地上側に掘削して設置した第一の筒体４Ａはその外径が最も大きくその内部空間２４の内径も大きく設定されている。第一の筒体４Ａの内部空間２４Ａにはその外径が内部空間２４Ａとほぼ同一径をなす比較的小径の第二の筒体４Ｂが挿入されており、しかも第一の筒体４Ａの下端部（先端部)に第二の筒体４Ｂの後端部が連結されている。
そして、第二の筒体４Ｂの内部空間２４Ｂ内にはその外径が内部空間２４Ｂとほぼ同一径をなす比較的小径の第三の筒体４Ｃが挿入されており、しかも第二の筒体４Ｂの下端部（先端部)に第三の筒体４Ｃの後端部が連結されている。このようにして大深度掘削装置１Ｆが構築される。
【００４３】
なお、図１０では、外径の異なる三組の筒体４Ａ、４Ｂ、４Ｃで掘削穴Ｈを掘削して大深度掘削装置１Ｆを施工したが、第三の筒体４Ｃの内部空間２４Ｃとほぼ同一外径をなす第四の筒体を内部空間２４Ｃに挿入する等して更に下方を掘削してより長い大深度掘削装置１Ｆを構築してもよい。       
【００４４】
本実施形態による大深度掘削装置１Ｆは上述した構成を備えており、次に大深度掘削方法について説明する。
最初に、大口径の大深度掘削装置１Ｆにおける最大外径の第一の筒体４Ａを地盤ＧＬから地中に大深度掘削する。例えば、最下段に刃口リング１６を設けた第一の筒体４Ａを地盤に設置して、各セグメント２に設けた複数のケーシング管１２を通して、ドリルパイプ２０の先端に設けたドリルビット２１を下方に降下させる。ドリルパイプ２０を高速回転させることでドリルビット２１によって坑底の地盤を掘削して岩盤を破砕する。これと同時に、泥水をドリルパイプ２０に注入し、ドリルビット２１に設けたノズルから泥水を噴出させて岩盤に亀裂等を生じさせる。しかも、ドリルビット２１によって刃口リング１６の先端側領域の地盤を掘削し且つ攪拌することによって大深度掘削を行う。
【００４５】
ドリルビット２１で掘削された岩盤の掘削屑はドリルビット２１のノズルから噴出する泥水と混合される。そして、ケーシング管１２のドリルパイプ２０の周囲に設けられた空間２２の地上側開口に負圧をかけることで、坑底上で泥水と掘削屑の混合物を吸引することができる。そして、地上で泥水と掘削屑を回収し、フィルターで掘削屑を分離した後、泥水を泥水ピットに戻す。これにより、略円周状に掘削穴Ｈを形成し、第一の筒体４Ａを掘削穴Ｈ内に降下させる。
【００４６】
次に、比較的外径の小さい第二の筒体４Ｂを第一の筒体４Ａの内部空間２４Ａ内に挿入し、各セグメント２に設けた複数のケーシング管１２を通して、ドリルパイプ２０の先端に設けたドリルビット２１を下方に降下させる。ドリルビット２１を高速回転させて坑底の地盤を掘削して岩盤を破砕する。これと同時に、泥水をドリルパイプ２０を通して注入し、ドリルビット２１に設けたノズルから泥水を噴出させる。ドリルビット２１によって刃口リング１６の先端側領域の地盤を掘削し且つ攪拌することで大深度掘削を行う。
ドリルビット２１で掘削された岩盤の掘削屑は泥水と混合され、ケーシング管１２の空間２２を通して泥水と掘削屑の混合物を吸引する。そして、地上で泥水と掘削屑を回収し、掘削屑を分離した泥水を泥水ピットに戻す。これにより、略円周状に掘削穴Ｈを形成し、第二の筒体４Ｂを掘削穴Ｈ内に降下させる。このとき第二の筒体４Ｂが第一の筒体４Ａと分離せず重なるように連結する。
【００４７】
次に、第二の筒体４Ｂの内部空間２４Ｂより外径の小さい第三の筒体４Ｃを第二の筒体４Ｂの内部空間２４Ｂ内に挿入する。各セグメント２のケーシング管１２内を通して、ドリルパイプ２０の先端のドリルビット２１を高速回転させて坑底の地盤を掘削して岩盤を破砕する。これと同時に、ドリルビット２１のノズルから泥水を噴出させて掘削屑を混合させる。こうして、ドリルビット２１によって刃口リング１６の先端側領域の地盤を掘削し且つ攪拌することで大深度掘削を行う。
【００４８】
ドリルビット２１で掘削された掘削屑と泥水の混合物は、ケーシング管１２の空間２２を通して吸引させられる。そして、地上で泥水と掘削屑の混合物を回収して、掘削屑を分離した泥水を泥水ピットに戻す。これにより、略円周状に掘削穴Ｈを形成し、第三の筒体４Ｃを掘削穴Ｈ内に降下させ、第三の筒体４Ｃが第二の筒体４Ｂと分離せず重なるように連結する。
また、必要に応じて、更に小径の筒体４を第三の筒体４Ｃの内部空間２４Ｃを通して坑底の地盤を掘削して第三の筒体４Ｃと連結することで、より大深度の大深度掘削装置１Ｆを形成できる。これにより、掘削穴Ｈを掘削して各種の地下資源を採取することができる。
【００４９】
上述したように本第二実施形態による大深度掘削装置１Ｆによれば、先に掘削した第一の筒体４Ａの内部空間２４Ａを利用して第二の筒体４Ｂ、そして第三の筒体４Ｃと順次その外径を縮小させながら階段状に形成した掘削穴Ｈによって大深度掘削を施工できる。そのため、大深度掘削工事であっても筒体４を縮径させるごとにドリルビット２１を異別のものに交換することで、ドリルビット２１の摩耗や折損を防いで効率よく大断面掘削を行える。
なお、掘削屑と泥水の混合物を回収するために、各筒体４の外側に回収パイプ２７を設けてもよい。
【００５０】
次に本発明の第三実施形態による大深度掘削装置１Ｇについて図１１により説明する。
本実施形態による大深度掘削装置１Ｇでは、複数段(例えば３段)のセグメントリング３を千鳥組またはいも継ぎで連結した筒体４を地盤ＧＬに設けた掘削穴Ｈ内に設置する。掘削穴Ｈの掘削は、上述した第一実施形態による大深度掘削装置１で説明したように、筒体４に設けたケーシング管１２内のドリルビット２１及びドリルパイプ２０とリング状の空間２２とで行われる。
この筒体４の内部空間２４の底部を封止することで保護区域とし、筒体４の底部を起点として保護区域内に地下資源採取ステーション３６を設置する。そして、地下資源採取ステーション３６を拠点として図示しない重機等を設置し、複数組の小口径のドリルパイプ２０及びドリルビット２１を更に下方に発進させて地盤中を掘削する。地下資源採取ステーション３６からドリルパイプ２０及びドリルビット２１を任意の方向に複数組発進させることで、地下資源を広域的に採取することが可能になる。
【００５１】
本発明において、第一のケーシング管は図１０に示す大深度掘削装置１Ｆの第一の筒体４Ａに設けたケーシング管１２、第一のドリルパイプはドリルパイプ２０、第一のドリルビットはドリルビット２１に含まれる。また、第二のケーシング管はケーシング管１２、第二のドリルパイプはドリルパイプ２０、第二のドリルビットはドリルビット２１に含まれる。第一の空間、第二の空間は空間２２に含まれる。
【符号の説明】
【００５２】
１、１Ａ、１Ｂ、１Ｃ、１Ｄ、１Ｅ、１Ｆ、１Ｇ  大深度掘削装置
２  セグメント
２Ａ、３４  刃口付きセグメント
３  セグメントリング
４  筒体
４Ａ  第一の筒体
４Ｂ  第二の筒体
４Ｃ  第三の筒体
１２  ケーシング管
１５  注入孔
１６  刃口リング
２０  ドリルパイプ
２１  ドリルビット
２２  空間
２４、２４Ａ、２４Ｂ、２４Ｃ  内部空間
２５  重機
３０  裏込め材
３１  間詰め材
３６  地下資源採取ステーション
Ｈ  掘削穴
【図１】
0006982598.tif 000002
【図２】
0006982598.tif 000003
【図３】
0006982598.tif 000004
【図４】
0006982598.tif 000005
【図５】
0006982598.tif 000006
【図６】
0006982598.tif 000007
【図７】
0006982598.tif 000008
【図８】
0006982598.tif 000009
【図９】
0006982598.tif 000010
【図１０】
0006982598.tif 000011
【図１１】
0006982598.tif 000012